(57)【要約】【課題】人間の生活空間にマイナスイオンを、効率的に大量に発生させることのできるマイナスイオン発生装置を提供する。【解決手段】水滴を分裂させて微細水滴を生成してマイナスイオンを発生させるマイナスイオン発生装置（Ａ）において、下側部が水中に没するように、かつ回転自在に配設した略漏斗状の吸水体（５）を備え、しかも、当該吸水体（５）の外周面に、多数の吸水溝（５６）を縦方向に形成するとともに、当該吸水体（５）の上部に形成したフランジ部（５７）周縁には、前記吸水溝（５６）から飛散する水滴を打撃分裂可能とした多数の櫛歯（５８）を設けた。【選択図】　　　図４
2004093025.tif 000002
【特許請求の範囲】
【請求項１】
貯留した水から微細水滴を発生させる微細水滴生成部に送気して、前記微細水滴を空気中に拡散させ、微細水滴を含む混合空気を遠心分離してマイナスイオン化するようにしたマイナスイオン発生装置において、
前記微細水滴生成部は、下側部が水中に没するように、かつ回転自在に配設した略漏斗状の吸水体を備え、しかも、当該吸水体の外周面に、多数の吸水溝を形成するとともに、当該吸水体の上部に形成したフランジ部周縁には、吸水体から飛散する水滴を打撃分裂可能とした多数の櫛歯を設けたことを特徴とするマイナスイオン発生装置。
【請求項２】
櫛歯の基端部に補強壁を設けたことを特徴とする請求項１記載のマイナスイオン発生装置。
【請求項３】
吸水溝の上端とフランジ部内周面との間に段差部を形成したことを特徴とする請求項１又は２に記載のマイナスイオン発生装置。
【請求項４】
水滴を櫛歯により打撃分裂するとともに、より加速して周囲に飛散可能とするとともに、吸水体の周りに壁体を設け、同壁体内周面に飛散した前記水滴を衝突させて、より微細化可能としたことを特徴とする請求項１〜３のいずれか１項に記載のマイナスイオン発生装置。
【請求項５】
壁体の外周面に防振材を配設したことを特徴とする請求項４記載のマイナスイオン発生装置。
【請求項６】
請求項１〜５のいずれか１項に記載のマイナスイオン発生装置に、放電によりマイナスイオンを発生させる放電式マイナスイオン発生源を付設するとともに、両者を同一筐体内に組み込んだことを特徴とするマイナスイオン発生装置。
【発明の詳細な説明】
【０００１】
【発明の属する技術分野】
この発明は、マイナスイオン発生装置に関するものである。
【０００２】
【従来の技術】
マイナスイオンは、人体内に取り込まれることにより、精神安定効果、体質改善効果、新陳代謝効果、さらにその他健康促進において多様な効果が認められるとされているとともに、シックハウス症候群の原因とされる壁材などから発生するプラスイオンを中和する作用もあるといわれている。
【０００３】
近年、かかるマイナスイオンが注目されており、このマイナスイオンを発生させるマイナスイオン発生装置が各種提供されている。
【０００４】
マイナスイオン発生装置には、放電によって空気中の酸素にマイナスの電気を帯びさせ、これに微小な水分を結合させマイナスイオンとし、風に乗せてマイナスイオンを放出するようにした放電式のものと、空気中で水滴が分裂するときに水滴がプラスに帯電し、その周囲の空気がマイナスに帯電して空気のイオン化現象が起こりマイナスイオンが生成されることに着目した、所謂レナード式と呼ばれるものがある。
【０００５】
レナード式のものは、滝周辺などにマイナスイオンが多く存在しているというレナード現象と呼ばれる事象に基づいており、自然界のマイナスイオンと同様なものとなり、前述した放電により生成されたマイナスイオンよりも長寿命で、しかも人間にやさしいとされている。
【０００６】
かかる自然のマイナスイオンを発生させるようにしたレナード式のマイナスイオン発生装置として、例えば特開２００１−２８９４７０号公報に記載されているものがある。
【０００７】
これは、外気を導入可能な処理室内において、上方に向かって径が増大する回転体の下方を水中に浸漬して回転することにより、回転体の外周に沿って水の薄膜を上方に向かって順次形成するとともに飛散させ、飛散させた水を回転体の周囲に配置した網目を有するスクリーンに衝突させることにより、マイナスイオンを含むミスト雰囲気を形成し、処理室内を通過する外気にマイナス電荷を与え、マイナスイオンの濃度を増加させるようにしたものである。
【０００８】
また、上記網目を有するスクリーンは、回転体の一部を囲む筒状にしたものとしたり、回転体に固定することにより、回転体とともに回転するように構成することもできるとされている。
【０００９】
【発明が解決しようとする課題】
ところが、上記した従来のレナード式のマイナスイン発生装置では、回転体の遠心力で水を網目に衝突させて極小な水滴に分裂させるようにしており、網目で分裂した水滴をさらに微細化することができないものであった。
【００１０】
すなわち、上記のようにスクリーンが網目状のものでは、水滴を細かく分裂させるのみであり、水滴を激しく叩きつけて、より微細化することができないことから、マイナスイオンの発生量にも限界があった。
【００１１】
したがって、室内などのような人間の生活空間に広くマイナスイオンを充満させることが難しく、有益なマイナスイオンを人体に十分取り込ませるようにすることが難しかった。
【００１２】
また、レナード式のマイナスイオン発生装置で生成されたマイナスイオンは大イオンと呼ばれ、寿命は長いものの拡散力が弱いという問題があり、一般の居住空間内全体にマイナスイオンを満たすことは難しいという問題も残されている。
【００１３】
本発明は、上記課題を解決することのできるマイナスイオン発生装置を提供することを目的としている。
【００１４】
【課題を解決するための手段】
（１）請求項１記載の本発明では、貯留した水から微細水滴を発生させる微細水滴生成部に送気して、前記微細水滴を空気中に拡散させ、微細水滴を含む混合空気を遠心分離してマイナスイオン化するようにしたマイナスイオン発生装置において、前記微細水滴生成部は、下側部が水中に没するように、かつ回転自在に配設した略漏斗状の吸水体を備え、しかも、当該吸水体の外周面に、多数の吸水溝を形成するとともに、当該吸水体の上部に形成したフランジ部周縁には、吸水体から飛散する水滴を打撃分裂可能とした多数の櫛歯を設けた。
【００１５】
（２）請求項２記載の本発明では、上記櫛歯の基端部に補強壁を設けた。
【００１６】
（３）請求項３記載の本発明では、上記吸水溝の上端とフランジ部内周面との間に段差部を形成した。
【００１７】
（４）請求項４記載の本発明では、上記微細水滴を櫛歯により打撃分裂するとともに、より加速して周囲に飛散可能とするとともに、吸水体の周りに壁体を設け、同壁体内周面に飛散した前記水滴を衝突させて、より微細化可能とした。
【００１８】
（５）請求項５記載の本発明では、上記壁体の外周面に防振材を配設した。
【００１９】
（６）請求項６記載の本発明では、上記請求項１〜５のいずれか１項に記載のマイナスイオン発生装置に、放電によりマイナスイオンを発生させる放電式マイナスイオン発生源を付設するとともに、両者を同一筐体内に組み込んだ。
【００２０】
【発明の実施の形態】
本発明は、貯留した水から微細水滴を発生させる微細水滴生成部に送気して、前記微細水滴を空気中に拡散させ、微細水滴を含む混合空気を遠心分離してマイナスイオン化するようにしたマイナスイオン発生装置において、前記微細水滴生成部は、下側部が水中に没するように、かつ回転自在に配設した略漏斗状の吸水体を備え、しかも、当該吸水体の外周面に、多数の吸水溝を縦方向に形成するとともに、当該吸水体の上部に形成したフランジ部周縁には、前記吸水溝から飛散する水滴を打撃分裂可能とした多数の櫛歯を設けたものである。
【００２１】
すなわち、略漏斗状の吸水体が回転することにより、水がぬれ性によって吸水体の外周面に形成された吸水溝を上昇していき、やがて遠心力によって周囲に飛散するのであるが、飛散した水滴は、小間隙を形成する多数の櫛歯により打撃されて微細に分裂される。
【００２２】
かかる作用によって、多量の微細水滴が生成され、空気中のマイナスイオンも多量に発生するのである。
【００２３】
しかも、櫛歯は吸水体のなかで、最も径の大きなフランジ部周縁に形成されているために周速度が最大であり、微細水滴は櫛歯によって外方へ加速度的に飛散する。
【００２４】
そこで、吸水体の周りに壁体を設けることができる。
【００２５】
かかる壁体を設けることにより、櫛歯により打撃分裂された微細水滴がより加速して周囲に飛散し、前記壁体内周面に衝突して微細水滴がより微細化して、マイナスイオンを発生しやすい状態とすることができる。
【００２６】
このように、本実施の形態によれば、より大量の微細水滴を生成することができ、それに伴って大量のマイナスイオンを効果的に発生させることができる。
【００２７】
また、櫛歯の基端部には補強壁を設けることができ、かかる補強壁によって、櫛歯のひずみなどを抑え、特に吸水体が高速で回転したときに騒音の発生を防止することができる。
【００２８】
さらに、上記吸水溝の上端とフランジ部内周面との間には段差部を形成することが好ましい。
【００２９】
かかる段差部を設けることで、吸水溝から上昇してきた水がこの段差部において吸水体から分離しやすくなり、遠心力によって円滑に飛散することになり、微細水滴を多量に生成することが可能となるものである。
【００３０】
また、上記壁体の外周面に防振材を配設することができる。
【００３１】
上述してきたように、吸水体は水を飛散させるために高速回転しており、音の発生が懸念されるが、防振材を配設することで外部への騒音の影響を可及的に抑え、本マイナスイオン発生装置を家庭などでも支障なく使用することが可能となる。
【００３２】
以上説明してきたように、本実施の形態に係るマイナスイオン発生装置は、所謂レナード式のものであり、発生するマイナスイオンは所謂大イオンと呼ばれるもので質量的に極めて大きく、かつ寿命が長いものであり、また、自然界、特に滝周辺に存在するマイナスイオンと同質のものなので極めて人間にやさしい。
【００３３】
このように良質なマイナスイオンをコンパクトな装置で大量に発生させて人体に十分量を摂取させることで、疲労回復、精神安定、体質改善、血液浄化、新陳代謝、抵抗力増進、自律神経調整、胃腸消化促進などの各種効果を奏することが可能となる。
【００３４】
さらに、上述してきたマイナスイオン発生装置に、放電によりマイナスイオンを発生させる放電式マイナスイオン発生源を付設するとともに、両者を同一筐体内に組み込むこともできる。
【００３５】
放電式マイナスイオン発生源は、マイナス極である針状電極の周りにプラス極である周囲電極を配設し、両電極を昇圧回路に接続した周知の構成のものを採用することができる。
【００３６】
放電式マイナスイオン発生源は、小イオンと呼ばれる空気中での拡散力が極めて強いマイナスイオンを大量に発生することができるので、居住空間内をマイナスイオンで充満させることができ、空間内のプラスイオンを中和して良好な環境を創出できるとともに、人間により優しい前述のレナード式のものと併設することで、それぞれの特徴を生かし、マイナスイオン効果を最大限に引き出すことが可能となる。
【００３７】
【実施例】
以下、この発明の実施例を図面に基づき具体的に説明する。図１は本実施例に係るマイナスイオン発生装置Ａの説明図、図２は同マイナスイオン発生装置Ａの分解斜視図、図３は同マイナスイオン発生装置Ａの要部拡大説明図、図４は同要部の主構成要素である吸水体の説明図である。
【００３８】
図１及び図２に示すように、マイナスイオン発生装置Ａは、水滴を分裂させてマイナスイオンを発生させる第１のマイナスイオン発生源としてのレナード式マイナスイオン発生部１と、放電によりマイナスイオンを発生させる第２のマイナスイオン発生源としての放電式マイナスイオン発生部２とを、同一の筐体３内に組込んで構成している。
【００３９】
なお、筐体３は、底壁部３２と周壁部３３と上部壁部３４とからなる箱型の機能部収納ケース３０と、同機能部収納ケース３０の上部を覆う上部カバーケース３１とから構成しているが、理解を容易にするために、図１においては上部カバーケース３１を、図２においては機能部収納ケース３０の周壁部３３を省略して表している。
【００４０】
（レナード式マイナスイオン発生部１）
ここで、本発明の要部をなすレナード式マイナスイオン発生部１について詳述する。
【００４１】
図１及び図２に示すように、レナード式マイナスイオン発生部１は、微細水滴を発生させる微細水滴生成部１１と、筐体３の外から空気を吸入して前記微細水滴生成部１１に送り、同微細水滴生成部１１で生成された微細水滴を空気に拡散させて混合空気となすファン部１２と、微細水滴を含む前記混合空気を遠心分離して、マイナスイオン化された極微小の微細水滴のみを含む混合空気生成する遠心分離部１３とを具備している。
【００４２】
微細水滴生成部１１と遠心分離部１３とは、筐体３の上部壁部３４の下部に形成した上側開口の水タンク１０内に並設されている。３５は前記上部壁部３４の下端に連設した中間壁であり、水タンク１０を形成している。また、Ｗは貯留水である。
【００４３】
また、微細水滴生成部１１は、モータ１４から上方へ突設した回転軸１５に、上方に向けて漸次拡経した略漏斗状の吸水体５を取付けている。そして、同吸水体５を囲繞するように、適宜間隔をあけて壁体としての円筒部３５ａを設けている。
【００４４】
また、吸水体５は、図１、図３及び図４に示すように、前記回転軸１５を挿通する筒状部５０の下端と、上方に向けて漸次拡経した本体部５１の下端とを一体的に連設して構成しており、全体の下側部が水中に没するように配設されている。なお、本体部５１の外周面のテーパθは、６０°＜θ＜７５°の範囲が好ましく、径が著しく大きくなるのを避けつつ効率的に水を飛散させるために、本実施例ではθを実験的に７０°に設定している。
【００４５】
図２中、１５ａはモータ軸カバーであり、前記水タンク１０と一体的に成形されている。５２は回転軸１５の先端部と吸水体５とを連結する連結部材、５３は軸受けであり、シール部材５４ａを介して配設されている。また、５４ｂはパッキン、５５はワッシャである。
【００４６】
かかる吸水体５の本体部５１外周面には、多数の吸水溝５６を縦方向に形成しており、吸水体５が前記モータ１４により高速回転すると、貯流水Ｗの喫水部分がぬれ性によって這い上がるとともに、吸水溝５６に案内されるように上方へ吸い上げられるように移動していく。なお、本実施例では、吸水体５の回転速度を約１６００ｒｐｍとしている。
【００４７】
また、吸水体５の本体部５１の上部にはフランジ部５７が形成されており、同フランジ部５７の周縁には、多数の櫛歯５８が小間隙５９をあけて下方に向けて垂設されている。
【００４８】
個々の櫛歯５８単体は、半径方向の長さｄをフランジ部５７の幅Ｄの略１／２である５ｍｍとしており、櫛歯５８の長さ（高さ）Ｌとしては、吸水体５の全高の約１／１０である１０ｍｍとしている。かかる寸法設定は実験的に定めることができる。
【００４９】
かかる櫛歯５８は、吸水体５の最大径をなす個所に位置するので、回転時の角速度が最大となることから、吸水体５を回転させて水を前記吸水溝５６から吸い上げ飛散させたときに、飛散水を効果的に打撃分裂して微細水滴となすことができる。
【００５０】
しかも、櫛歯５８は所定幅（５ｍｍ）を有し、かつ前述したように角速度が最大となっているので、微細水滴を叩いて吸水体５の外方へ加速度的に飛散させることができ、猛烈な速度で微細水滴を前記円筒部３５ａの内周壁に衝突させることによって、より微小な微細水滴をさらに大量に生成可能としている。
【００５１】
このように、本実施例に係る吸水体５を用いることにより、多量の微細水滴を生成することができ、空気中にも多量のマイナスイオンを発生させることができる。
【００５２】
また、図示するように、櫛歯５８の基端部にはフランジ部５７と一体形成された補強壁５７ａを設けている。本実施例では、櫛歯５８の長さ（高さ）Ｌの１／２に設定して、高速回転時において櫛歯５８がひずんだりすることを可及的に防止している。したがって、かかる補強壁５７ａにより防振効果が生起されて、吸水体５の高速回転時における騒音の防止も図られている。
【００５３】
しかも、補強壁５７ａとフランジ部５７とは一体的に断面視略Ｌ字状に形成されていることから、フランジ部５７も櫛歯５８の補強壁としての機能を有することになり、図４に示すように、櫛歯５８における水滴を叩く面の有効面積を十分確保しつつ、フランジ部５７による横方向の補強、補強壁５７ａによる縦方向の補強によって、上述した防振効果、騒音防止効果が確実に生起される。
【００５４】
また、より効果的に騒音を防止するために、図３に示すように、水タンク１０の外周壁面に防振材７を配設している。
【００５５】
かかる防振材７により、吸水体５が高速回転する際の騒音の発生を可及的に防止することができ、本マイナスイオン発生装置Ａを家庭などで好適に使用することができる。
【００５６】
ところで、本実施例に係る吸水体５には、図３及び図４に示すように、上記吸水溝５６の上端とフランジ部５７の内周面との間に段差部６を形成している。
【００５７】
かかる段差部６を設けることで、吸水溝５６から上昇してきた水がこの段差部６において吸水体５の本体部５１から分離しやすくなり、遠心力によって円滑に飛散するようになっている。したがって、微細水滴を効果的に多量に生成することが可能となっている。
【００５８】
ここで、レナード式マイナスイオン発生部１のその他の構成について説明すると、前記ファン部１２は、図１及び図２に示すように、筐体３の下部一側に設けられており、ファンケース１２ａ内にファンモータ１２ｆに連動連結したシロッコファン１２ｂを配設するとともに、ＵＬＰＡフィルタ１２ｃ、プレフィルタ１２ｄ、フィルタ押さえ１２ｅを配設している。
【００５９】
そして、前記ファンケース１２ａにダクト３６の基端を連通連結するとともに、同ダクト３６の先端開口部３６ａを前記微細水滴生成部１１の上部に臨ませている。
【００６０】
したがって、ファン部１２により発生した風は、図１の矢印ｆで示すダクト内流路を通って、微細水滴生成部１１に導入されることになる。図２中、３６ｂは上部壁部３４に形成した送風ガイド部である。
【００６１】
また、遠心分離部１３は、前記微細水滴生成部１１からファン部１２からの送風により送られる分裂した多数の微小水滴を含む混合空気から粒径の大きな微細水滴を分離して、極微小水滴のみを含む混合空気を発生させるもので、図１に示すように、吸水体５を囲繞した前記円筒部３５ａと水タンク１０内で連通し、内部には図示しない螺旋条を形成した螺旋条付円筒部３５ｂから構成されている。そして、微細水滴生成部１１から送られた混合空気を旋回させながら粒径の大きな微細水滴を分離可能としている。なお、３４ａは上部壁部３４に突設した給水口を兼ねるガイド筒であり、遠心分離部１３を介して水タンク１０に給水することができる。また、マイナスイオン発生時には、前記螺旋条付円筒部３５ｂから放出されるマイナスイオンを含んだ混合空気を装置外へ案内可能としている。
【００６２】
上記構成により、本実施例におけるレナード式マイナスイオン発生部１では、モータ１４を駆動させると略漏斗状に形成された吸水体５が高速回転し、水のぬれ性によって水タンク１０内の貯留水Ｗが前記吸水溝５６を上昇するとともに、上昇途中で、あるいは段差部６によって効果的に遠心力により飛散し、飛散した水滴は小間隙５９を形成した多数の櫛歯５８により打撃されて微細に分裂されるとともに、高速で円筒部３５ａの内周壁に叩き付けられ、より微小な微細水滴となり、このときに前記ファン部１２より送られた空気内に微細水滴が拡散し、レナード効果によってプラスイオン化した水滴と、その周りの空気がマイナスイオン化して、両イオンが混在した混合空気が発生する。
【００６３】
かかる混合空気は、遠心分離部１３に送られて粒径の大きな微細水滴が分離されて前記水タンク１０へ還流し、大量のマイナスイオンを含んだ混合空気となって、図１において矢印ｆ’に示されるように螺旋条付円筒部３５ｂの上部から放出される。
【００６４】
なお、マイナスイオンを含んだ混合空気が最終的に放出されるのは、前記上部カバーケース３１に形成した放出口４１からであり、同放出口４１には、図２に示すように、混合空気の放出向きを略水平方向に屈曲案内するガイド板４１ａを設けている。したがって、本実施例におけるレナード式マイナスイオン発生部１からのマイナスイオンは、筐体３から略水平方向からやや斜め上方に向かって放出される。
【００６５】
図１において、８は水タンク１０と連通した排水タンクであり、前記水タンク１０の遠心分離部１３の下方に形成した排水口１３ａと排水ホース８０により連通連結している。
【００６６】
かかる排水タンク１０は、筐体３から取出自在に設けられており、所定時間を経過した古い貯留水は、雑菌などが生じる前に適宜廃棄するようにしている。
【００６７】
（放電式マイナスイオン発生部２）
次に放電式マイナスイオン発生部２について説明する。
【００６８】
放電式マイナスイオン発生部２は、図５に示すように、マイナス極である針状電極２１の周りにプラス極である周囲電極２２を配設し、両電極２１，２２を昇圧回路２３と接続したマイナスイオン発生器２ａからなる周知の構成のものを採用している。図中、２４は漏斗状に形成した電極カバー、２５はイオンガイド筒、２６は送風路、２７は防護メッシュである。
【００６９】
針状電極２１と周囲電極２２との間に高電圧を引加するとプラズマ放電が起こり、マイナスイオンが発生するが、この場合のマイナスイオンは小イオンと呼ばれるもので、電子に引き寄せられ結合した気体分子の数としては数個〜数十個程度であり、空気中での拡散力が極めて大きく、しかも、１００万個／ｃｃの規模で大量に生成される。
【００７０】
かかるマイナスイオン発生器２ａは、前記レナード式マイナスイオン発生部１で説明したダクト３６の中途に基端を連通連結した筒部２８の先端側に収納されており、同筒部２８の先端に放出口４２を上向きに開口している（図１及び図２参照）。
【００７１】
すなわち、ファン部１２からダクト３６を介して流れる風が筒部２８に流れ込み、その風に乗って、マイナスイオン発生器２ａにより発生したマイナスイオンが放出口４２から上方へ放出されることになる。図２中、３４ｂは筒部２８を挿通する円孔である。
【００７２】
この放出口４２と前記したレナード式マイナスイオン発生部１の放出口４１とは、全く別個に設けられていることから放出されるマイナスイオン同士が干渉し合うことがなく、円滑に放出される。
【００７３】
上記構成により、本マイナスイオン発生装置Ａを使用した場合、図６に示すように、前記レナード式マイナスイオン発生部１により生成されて放出口４１から略水平に近い斜め上方方向に放出される大イオンであるマイナスイオンは、居住空間Ｑの人間に直接向かって人体に容易に摂取される。
【００７４】
一方、放電式マイナスイオン発生部２により生成されて放出口４２から垂直上方へ大量放出される小イオンであるマイナスイオンは、高速で居住空間Ｑ内に拡散し、しかも、このときに壁際に沿って拡散するために、壁面のプラスイオンを迅速に中和するとともに、図６に一点鎖線Ｍで示すように壁面と居住空間Ｑの中央部との間にマイナスイオンバリヤを形成し、居住空間Ｑ内の環境を良好に保ち、壁材などからの環境ホルモンによるシックハウス症候群などの発症を防止することができる。
【００７５】
このように、本マイナスイオン発生装置Ａでは、レナード効果に基づいた大イオンのマイナスイオンを効率的に大量に発生させることができるとともに、発生させたマイナスイオンが人体内に取り込みやすく放出され、疲労回復効果、精神安定効果、体質改善効果、血液浄化効果、新陳代謝効果、抵抗力増進効果、自律神経調整効果、胃腸消化促進効果などの各種効果を生起するともに、放電式により大量に生成され高速で拡散する小イオンのマイナスイオンで壁材などから発生するプラスイオンを中和して室内環境を良好に整えることができることから、人間が生活する居住空間Ｑに好適となる。
【００７６】
次に、本実施例に係る吸水体５の変形例について、図７〜図１０を参照しながら説明する。なお、前述の実施例と同一構成要素については同一符号を付している。
【００７７】
図７に示したものは、前述の実施例の構成から補強壁５７ａを廃止したものであり、フランジ部５７から直接櫛歯５８を垂下させて形成している。そして、補強が無い分だけ、長さＬを短く形成している。
【００７８】
かかる構成によれば、櫛歯５８の全体を使って水滴を打撃して分裂させ、小間隙５９間から加速度的に飛散させることができ、吸水溝５６の途中から飛散する水滴も櫛歯５８で確実に叩くことができる。
【００７９】
図８に示したものは、前述の実施例の構成に対して段差部６の形状を異ならせたもので、吸水溝５６の上端部５６ａを湾曲形成し、なだらかに段差部６と連続するように形成している。
【００８０】
かかる構成によれば、吸水溝５６から上昇した水が円滑に段差部６に導かれ、吸水体５の回転時の遠心力によって速やかに本体部５１から飛散する。なお、この変形例では、段差部６を補強壁５７ａの下端よりもさらに下方に位置させるようにして、飛散した水滴を櫛歯５８に確実に至らせて叩かれるようにして、微細水滴を生成しやすくしている。また、本変形例では、フランジ部５７と補強壁５７ａとが交わるコーナー部分の内側を湾曲形成して導水性をより向上させた構造としている。
【００８１】
図９に示したものは、前述の実施例の構成から段差部６を廃止したもので、吸水溝５６の上端がフランジ部５７の裏面に直接突き当たる構成と成っている。段差部６を形成する必要がない分、製造が容易となる。
【００８２】
図１０に示したものは、段差部６を廃止するとともに、吸水溝５６をフランジ部５７まで伸ばすことなく、中途まで形成したもので、閉塞された吸水溝５６の上端部５６ａに、あたかも段差部６と同様の機能を与えたものである。
【００８３】
かかる構成であっても、吸水溝５６から上昇した水は吸水溝５６の上端部５６ａで効果的に本体部５１から離れて飛散する。この場合も段差部６を形成する必要がない分、製造が容易となる。
【００８４】
【発明の効果】
（１）請求項１記載の本発明では、貯留した水から微細水滴を発生させる微細水滴生成部に送気して、前記微細水滴を空気中に拡散させ、微細水滴を含む混合空気を遠心分離してマイナスイオン化するようにしたマイナスイオン発生装置において、前記微細水滴生成部は、下側部が水中に没するように、かつ回転自在に配設した略漏斗状の吸水体を備え、しかも、当該吸水体の外周面に、多数の吸水溝を形成するとともに、当該吸水体の上部に形成したフランジ部周縁には、吸水体から飛散する水滴を打撃分裂可能とした多数の櫛歯を設けた。したがって、略漏斗状の吸水体が回転することにより、水がぬれ性によって吸水体の外周面に形成された吸水溝を上昇していき、やがて遠心力によって周囲に飛散し、飛散した水滴は多数の櫛歯により打撃されて微細に分裂されてマイナスイオンを効率的に発生させることができる。
【００８５】
（２）請求項２記載の本発明では、上記櫛歯の基端部に補強壁を設けたことにより、櫛歯のひずみなどを抑え、特に吸水体が高速で回転したときに騒音の発生を防止することができる。
【００８６】
（３）請求項３記載の本発明では、上記吸水溝の上端とフランジ部内周面との間に段差部を形成したことにより、吸水溝から上昇してきた水がこの段差部において吸水体から分離しやすくなり、遠心力によって円滑に飛散して微細水滴を多量に生成することが可能となる。
【００８７】
（４）請求項４記載の本発明では、上記微細水滴を櫛歯により打撃分裂するとともに、より加速して周囲に飛散可能とするとともに、吸水体の周りに壁体を設け、同壁体内周面に飛散した前記水滴を衝突させて、より微細化可能としたことにより、櫛歯により打撃分裂された微細水滴がより加速して周囲に飛散し、前記壁体内周面に衝突して微細水滴がより微細化して、マイナスイオンを発生しやすい状態とすることができる。
【００８８】
（５）請求項５記載の本発明では、上記壁体の外周面に防振材を配設したことにより、高速回転する吸水体から発せられる騒音を防止でき、マイナスイオン発生装置を家庭などでも支障なく使用することが可能となる。
【００８９】
（６）請求項６記載の本発明では、上記請求項１〜５のいずれか１項に記載のマイナスイオン発生装置に、放電によりマイナスイオンを発生させる放電式マイナスイオン発生源を付設するとともに、両者を同一筐体内に組み込んだことにより、放電式マイナスイオン発生源からのマイナスイオンで空間内のプラスイオンを中和して良好な環境を創出できるとともに、微細水滴を利用して生成した人間により優しいマイナスイオンで疲労回復、精神安定、体質改善、血液浄化、新陳代謝、抵抗力増進、自律神経調整、胃腸消化促進などの各種効果を生起することができる。このように、それぞれの特徴を生かしたマイナスイオン効果を最大限に引き出すことが可能となる。
【図面の簡単な説明】
【図１】実施例に係るマイナスイオン発生装置の説明図である。
【図２】同マイナスイオン発生装置の分解斜視図である。
【図３】同マイナスイオン発生装置の要部拡大説明図である。
【図４】吸水体の説明図である。
【図５】放電式マイナスイオン発生部の拡大説明図である。
【図６】実施例に係るマイナスイオン発生装置の使用状態を示す説明図である。
【図７】吸水体の変形例を示す説明図である。
【図８】吸水体の変形例を示す説明図である。
【図９】吸水体の変形例を示す説明図である。
【図１０】吸水体の変形例を示す説明図である。
【符号の説明】
Ａ　マイナスイオン発生装置
１　レナード式マイナスイオン発生部
２　放電式マイナスイオン発生部
３　筐体
５　吸水体
６　段差部
７　防振材
３５ａ　円筒部
５６　吸水溝
５７　フランジ部
５７ａ　補強壁
５８　櫛歯
【図１】
2004093025.tif 000003
【図２】
2004093025.tif 000004
【図３】
2004093025.tif 000005
【図４】
2004093025.tif 000006
【図５】
2004093025.tif 000007
【図６】
2004093025.tif 000008
【図７】
2004093025.tif 000009
【図８】
2004093025.tif 000010
【図９】
2004093025.tif 000011
【図１０】
2004093025.tif 000012